(57)【要約】【課題】  液晶表示パネルの組立作業を効率よく実施することができる。【解決手段】  保護ケース７２が周縁部に嵌め込まれた液晶表示パネル本体７１が水平状態で載置されて、保護ケース７２に係合することによって保護ケース７２と液晶表示パネル本体７１とを位置決めするパネル載置部３０が、ベース部１０によって水平状態で支持されている。ベース部１０上には、水平状態で昇降するように設けられた昇降プレート２１が設けられており、昇降プレート２１には、昇降ピン２２が垂直状態で取り付けられている。昇降ピン２２は、パネル載置部３０に載置された保護ケース７２および液晶表示パネル本体７１を水平状態で上方に持ち上げて液晶表示パネル本体７１および保護ケース７２とパネル載置部３０との係合状態を解除する。昇降プレート２１はベース部１０に設けられた昇降機構１７によって昇降する。【選択図】  図２
2006126744.tif 000002
【特許請求の範囲】
【請求項１】
表示パネル本体の周縁部に保護ケースを取り付けるために使用される表示パネル用治具であって、
前記保護ケースが周縁部に嵌め込まれた前記表示パネル本体が水平状態で載置されて、前記保護ケースに係合することによって該保護ケースと前記表示パネル本体とを位置決めするパネル載置部と、
該パネル載置部を水平状態で支持するベース部と、
該ベース部に対して水平状態で昇降するように設けられた昇降プレートと、該昇降プレートに垂直状態で取り付けられて、前記パネル載置部に載置された前記保護ケースおよび表示パネル本体を水平状態で上方に持ち上げて該表示パネル本体および保護ケースと前記パネル載置部との係合状態を解除する昇降ピンとを有する昇降部とを備え、
前記ベース部に、前記昇降部の昇降プレートを昇降させる昇降機構が設けられていることを特徴とする表示パネル用治具。
【請求項２】
前記昇降機構は、前記ベース部に水平状態で回転可能に設けられた回転軸と、該回転軸の回転によって前記昇降プレートに当接して該昇降プレートを上昇させるように該回転軸に取り付けられた回転アームとを備えている、請求項１に記載の表示パネル用治具。
【請求項３】
前記昇降機構の回転軸は手動操作によって回転される、請求項２に記載の表示パネル用治具。
【請求項４】
前記昇降機構の回転軸は、モーターまたはエアーシリンダまたは油圧シリンダによって回転される、請求項１に記載の表示パネル用治具。
【請求項５】
前記昇降機構は、前記昇降プレートと前記ベース部との間に設けられたバネを有する、請求項１に記載の表示パネル用治具。
【請求項６】
前記バネは、前記昇降プレートの下降によって弾性力が付与されると、ストッパーによって該弾性力が付与された状態を保持するようになっている、請求項５に記載の表示パネル用治具。
【請求項７】
前記バネは、前記昇降プレートの昇降をガイドするために前記ベース部に垂直状態で設けられたガイドピンに嵌合されている、請求項５に記載の表示パネル用治具。
【請求項８】
前記昇降機構は、エアーシリンダまたは油圧シリンダを有する、請求項１に記載の表示パネル用治具。
【発明の詳細な説明】
【技術分野】
【０００１】
本発明は、液晶表示パネルのような表示パネルを組み立てる場合に使用される表示パネル用治具に関する。
【背景技術】
【０００２】
液晶表示パネル、プラズマ表示パネル等の表示パネルは、薄型であって軽量であるという特徴があり、画面サイズがさらに大型化されてテレビ等に使用されつつある。画面サイズが大型化された表示パネルを広く普及させるためには、表示パネルを効率よく生産して低廉化を図る必要がある。
【０００３】
工場において液晶表示パネル等の表示パネルを生産する場合には、自動化が進んでいるものの、作業員による手作業にて表示パネルを取り扱う作業も存在する。このため、画面サイズが大型化すると、薄型の表示パネルであっても、重量が増加し、取り扱いが容易でないという問題がある。
【０００４】
特開２００３−７５７９２（特許文献１）には、液晶表示パネルを保持プレートに載置して、液晶パネルにおける点灯欠陥表示検査を実施する検査用治具が開示されている。この検査用治具では、点灯欠陥検査に際して、作業員の手作業によって液晶表示パネルを保持プレートに載置して位置決めする必要がある。
【０００５】
同様に、一対のガラス基板の間に液晶層を挟みこんで製造された液晶表示パネル本体の周縁部に、「ベゼル」と称される保護ケースを取り付ける場合にも、表示パネル用の治具が使用される。この治具は、通常、表示パネル本体の周縁部の全体に保護ケースを嵌め込んだ状態で、保護ケースが嵌め込まれた液晶表示パネル本体が水平状態で載置されるパネル載置部を有しており、このパネル載置部に対して、保護ケースが嵌め込まれた液晶表示パネル本体が水平状態に載置されて位置決めされるようになっている。このような状態で、保護ケースが液晶表示パネル本体の周縁部に対してビス止めされる。これにより、液晶表示パネル本体の周縁部に保護ケースが取り付けられる。
【特許文献１】特開２００３−７５７９２
【発明の開示】
【発明が解決しようとする課題】
【０００６】
このような保護ケースの取付工程では、表示パネル用治具におけるパネル載置部に対して保護ケースが嵌め込まれた液晶表示パネル本体を載置して位置決めする作業は、作業員の手作業によって行われ、また、液晶表示パネル本体の周縁部に保護ケースがビス止めされた液晶表示パネル本体をパネル載置部から取り出す作業も作業員の手作業によって行われている。従って、液晶表示パネル本体に対する保護ケースを取り付ける作業は、必ずしも効率よく実施されるものではない。しかも、液晶表示パネル本体の画面サイズが大型化すると、液晶表示パネル本体の重量が増加するとともに、１人の作業員が液晶表示パネル本体を水平状態で取り扱うことが容易でなく、作業効率がさらに低下するという問題がある。
【０００７】
特に、画面サイズが大型化した液晶表示パネル本体をパネル載置部に水平状態で正確に位置決めするために、パネル載置部と液晶表示パネル本体とが強固に係合する必要があり、従って、液晶表示パネル本体と保護ケースとの組立作業が終了した後に、保護ケースが取り付けられた液晶表示パネル本体を、パネル載置部に対して強固に係合された状態から取り外すことは容易でなく、画面サイズが大型化された液晶表示パネル本体においては、１人の作業員によって、水平状態になった液晶表示パネル本体をパネル載置部から取り外すことがきわめて困難である。
【０００８】
本発明は、このような問題を解決するものであり、その目的は、画面サイズが大型化された液晶表示パネル等の表示パネルの組立作業等を効率よく実施することができる表示パネル用治具を提供することにある。
【課題を解決するための手段】
【０００９】
本発明の表示パネル用治具は、表示パネル本体の周縁部に保護ケースを取り付けるために使用される表示パネル用治具であって、前記保護ケースが周縁部に嵌め込まれた前記表示パネル本体が水平状態で載置されて、前記保護ケースに係合することによって該保護ケースと前記表示パネル本体とを位置決めするパネル載置部と、該パネル載置部を水平状態で支持するベース部と、該ベース部に対して水平状態で昇降するように設けられた昇降プレートと、該昇降プレートに垂直状態で取り付けられて、前記パネル載置部に載置された前記保護ケースおよび表示パネル本体を水平状態で上方に持ち上げて該表示パネル本体および保護ケースと前記パネル載置部との係合状態を解除する昇降ピンとを有する昇降部とを備え、前記ベース部に、前記昇降部の昇降プレートを昇降させる昇降機構が設けられていることを特徴とする。
【００１０】
前記昇降機構は、前記ベース部に水平状態で回転可能に設けられた回転軸と、該回転軸の回転によって前記昇降プレートに当接して該昇降プレートを上昇させるように該回転軸に取り付けられた回転アームとを備えている。
【００１１】
前記昇降機構の回転軸は手動操作によって回転される。
【００１２】
前記昇降機構の回転軸は、モーターまたはエアーシリンダまたは油圧シリンダによって回転される。
【００１３】
前記昇降機構は、前記昇降プレートと前記ベース部との間に設けられたバネを有する、。
【００１４】
前記バネは、前記昇降プレートの下降によって弾性力が付与されると、ストッパーによって該弾性力が付与された状態を保持するようになっている。
【００１５】
前記バネは、前記昇降プレートの昇降をガイドするために前記ベース部に垂直状態で設けられたガイドピンに嵌合されている。
【００１６】
前記昇降機構は、エアーシリンダまたは油圧シリンダを有する。
【発明の効果】
【００１７】
本発明の表示パネル用治具は、保護ケースが取り付けられた表示パネル本体を、水平状態で位置決めして保持するパネル載置部から容易に取り出すことができるために、表示パネルの組立作業が著しく向上する。
【発明を実施するための最良の形態】
【００１８】
本願発明の表示パネル用治具は、例えば、図１に示すように、液晶表示パネル本体７１の周縁部に、長方形の枠状の保護ケース（ベゼル）７２を全周に嵌め込んで、この保護ケース７２を、液晶表示パネル本体７１の周縁部を挟み込んだ状態でビス止めして組み立てる場合に使用される。保護ケース７２には、幅方向に沿った各短辺側部分７２ａにおける各端部近傍のそれぞれに、ビスが挿入されるビス孔７２ｃがそれぞれ設けられており、また、保護ケース７２の各長辺側部分７２ｂには、相互に等しい間隔をあけて４つのビス孔７２ｃがそれぞれ設けられている。各ビス孔７２ｃ内には、ビス（図示せず）がそれぞれ挿入されて液晶表示パネル本体７１の周縁部を挟み込む保護ケース（ベゼル）７２に対してそれぞれネジ結合されることによって、保護ケース７２が液晶表示パネル本体７１の周縁部に一体的に取り付けられる。保護ケース７２外側面は、全周にわたって裏面側に突出した係合部になっている。
【００１９】
図２は、本願発明の表示パネル用治具Ａの一例を分解して示す斜視図である。この表示パネル用治具Ａは、液晶表示パネル本体７１の周縁部に保護ケース７２が嵌め込まれた状態で、保護ケース７２を液晶表示パネル本体７１の周縁部にビス止めするために使用される。本願発明の表示パネル用治具Ａは、周縁部に保護ケース７２が嵌め込まれた液晶表示パネル本体７１が位置決めされた状態で載置されるようになったパネル載置部３０と、パネル載置部３０の下側においてパネル載置部３０を支持するとともにパネル載置部３０を昇降させる昇降機構１７が設けられたベース部１０と、このベース部１０の昇降機構１７によって昇降される昇降部２０とを有している。
【００２０】
図３は、ベース部１０の斜視図である。このベース部１０は、液晶表示パネル本体７１とほぼ同程度の大きさの長方形の枠状に構成されたベースフレーム１１を有している。ベースフレーム１１は、例えば、それぞれアルミニウムの成形品によって構成されており、一対の長辺側枠材１１ａと一対の短辺側枠材１１ｂとを有しており、各長辺側枠材１１ａにおける各側部上に、パネル載置部３０を位置決めして支持する一対の支持部材１２がそれぞれ設けられている。また、各短辺側枠材１１ｂの各側部上にも、パネル載置部３０を位置決めして支持する一対の支持部材１３が設けられている。各短辺側枠材１１ｂには、各支持部材１３間に一対の緩衝部材１４が適当な間隔をあけてそれぞれ設けられている。各緩衝部材１４は、パネル載置部３０に当接してパネル載置部３０に加わる衝撃を緩和するようになっている。
【００２１】
ベースフレーム１１には、昇降機構１７が取り付けられた支持プレート１５が、幅方向の中央部の底面を覆うように、各短辺側枠材１１ｂ間にわたって取り付けられている。この支持プレート１５の上面における各コーナー部近傍には、ガイドピン１６が、それぞれ垂直状態で取り付けられている。
【００２２】
支持プレート１５に取り付けられた昇降機構１７は、支持プレート１５の上方において幅方向の中央部に沿った状態で配置された回転軸１７ａを備えている。この回転軸１７ａの両端部は、軸受部材１７ｂによって、それぞれ回転可能に支持されており、各軸受部材１７ａが、ベースフレーム１１の短辺側枠材１１ｂに近接した支持プレート１５の各端部上にそれぞれ設けられている。回転軸１７ａの一方の端部は、軸受部材１７ｂおよびベースフレーム１１の一方の短辺側枠材１１ｂを貫通して、ベースフレーム１１の外部に突出した状態になっており、この回転軸１７ａの端部に、回転軸１７ａを回転させるために手動操作される操作レバー１７ｃが取り付けられている。
【００２３】
各軸受部材１７ｂによって回転可能に支持された回転軸１７ａには、相互に等しい間隔をあけて配置された３つの回転アーム１７ｄが取り付けられている。各回転アーム１７ｄは、それぞれの基端部が回転軸１７ａに取り付けられており、それぞれの先端部が回転軸１７ａから同方向に延出することによって、相互に平行な状態になっている。各回転アーム１７ｄの先端部には、回転ローラ１７ｅが水平軸周りにそれぞれ回転可能に取り付けられている。各回転アーム１７ｄは、通常は、それぞれ、下方の支持プレート１５に向かって斜め下方に延出した状態になっている。
【００２４】
図４は、ベース部１０に設けられた昇降機構１７によって昇降される昇降部２０の斜視図である。この昇降部２０は、ベース部１０に設けられた支持プレート１５と同程度の大きさの昇降プレート２１を有している。昇降プレート２１の長手方向の各端部におけるコーナー部は、ベース部１０におけるベースフレーム１１の各短辺側枠材１１ｂ上にそれぞれ位置するようになっており、各コーナー部２１ｂ上に昇降ピン２２がそれぞれ垂直状態で設けられている。昇降プレート２１の長手方向の各端部は、ベースフレーム１１の各短辺側枠材１１ｂ上にそれぞれ設けられた一対の緩衝部材１４と干渉しないように、切り欠き部２１ａがそれぞれ設けられている。
【００２５】
昇降プレート２１における各昇降ピン２２がそれぞれ設けられた各コーナー部２１ｂは、ベースフレーム１１の各短辺側枠材１１ｂ上にそれぞれ設けられた一対の緩衝部材１４と位置決め部材１３との間に配置されて、各短辺側枠材１１ｂの上面に載置される。
【００２６】
昇降プレート２１には、ベース部１０に設けられた各ガイドピン１６がそれぞれスライド可能に挿通する貫通孔２１ｃが設けられている。昇降プレート２１は、各貫通孔２１ｃをそれぞれ挿通する各ガイドピン１６に沿って、水平状態で昇降するようになっている。
【００２７】
このような構成の昇降プレート２０は、通常、ベースフレーム１１の各短辺側枠材１１ｂ上に一対のコーナー部２１ｂがそれぞれ載置されて水平な状態になっており、ベース部１０に設けられた昇降機構１７の回転軸１７ａが回転すると、回転軸１７ａとそれぞれ一体となった各アーム部１７ｄの先端部が上方に回転し、各アーム部１７ｄの先端部１７ｄに設けられた回転ローラ１７ｅが、昇降プレート２１の下面に当接する。その後に、回転軸１７ａが同方向にさらに回転されることによって、各回転アーム１７ｄが上方に回転されると、昇降プレート２１の下面に当接した各回転ローラ１７ｅは、昇降プレート２１の下面に転接して、昇降プレート２１を上昇させる。これにより、昇降プレート２１は、各ガイドピン１６に沿って、水平状態を維持した状態で上昇される。
【００２８】
図５は、周縁部に保護ケース７２が嵌め込まれた状態の液晶表示パネル本体７１が、位置決めされた状態で載置されるパネル載置部３０の斜視図である。このパネル載置部３０は、載置される液晶表示パネル本体７１と同程度の大きさの長方形状のプレート部３１を有しており、プレート部３１の中央部には、載置される液晶表示パネル本体７１を支持する支持台３３が設けられている。このプレート部３１は、各長辺側側縁部における中央部を除く両側の側部と、各短辺側側縁部における中央部を除く両側の側部とにわたって、それぞれ位置決め係合部３２がそれぞれ設けられている。各位置決め係合部３２は、液晶表示パネル本体７１の周縁部に嵌め込まれた保護ケース７２における裏面側に突出した外側面の係合部が係合することによって保護ケース７２を位置決めして、液晶表示パネル本体７１の周縁部の所定位置に嵌め込んだ状態とするようになっている。
【００２９】
プレート部３１における各短辺側側縁部およびそれらの上に配置された各位置決め係合部３２には、昇降プレート２１に設けられた各昇降ピン２２が挿入されるガイド孔３４がそれぞれ設けられている。各ガイド孔３４にそれぞれ挿入された各昇降ピン２２は、ベース部１０に設けられた昇降機構１７によって昇降プレート２１が上昇することによって、各ガイド孔３４内を上方にスライドし、各位置決め係合部３２の上面から上方に突出した状態になる。これにより、パネル載置部３０のパネル支持台３３上にて支持されていた液晶表示パネル本体７１の周縁部に嵌め込まれて各位置決め係合部３２にて係合部が係合された保護ケース７２が、各昇降ピン２２によって、上方に持ち上げられた状態になり、各各位置決め係合部３２と保護ケース７２との係合状態が解除される。
【００３０】
このような構成の表示パネル用治具Ａは、次のように使用される。表示パネル用治具Ａにおけるベース部１０に設けられた昇降機構１７は、通常、各回転アーム１７ｄの先端部が斜め下方に向いた状態になっており、また、昇降部２０の昇降プレート２１は、ベース部１０の各短辺側枠材１１ｂ上にそれぞれ載置された状態になっている。その結果、昇降プレート２１に取り付けられた各昇降ピン２２は、パネル載置部における各位置決め係合部３２から上方に突出しない状態になっている。
【００３１】
このような状態で、パネル載置部３０に、周縁部に保護ケース７２が嵌め込まれた状態の液晶表示パネル本体７１が載置される。この場合、液晶表示パネル本体７１の周縁部に嵌め込まれた保護ケース７２の係合部が、位置決め係合部３２にそれぞれ係合されるとともに、プレート部３１の中央部に設けられた支持台３３にて支持される。位置決め係合部３２にて位置決めされた保護ケース７２は、液晶表示パネル本体７１に対して位置決めされて固定された状態になる。
【００３２】
このようにして、液晶表示パネル本体７１に対して保護ケース７２が位置決めされた状態で固定されると、保護ケース７２の各ビス孔７２ｃに対してビスがそれぞれ挿入されて回転されることにより、保護ケース７２に対してビスがそれぞれネジ結合され、保護ケース７２が液晶表示パネル本体７１に対して一体的に取り付けられる。
【００３３】
保護ケース７２が液晶表示パネル本体７１に対して一体的に取り付けられると、作業員が、昇降機構１７に設けられた操作レバー１７ｃを回転操作して、回転軸１７ａを回転させると、回転軸１７ａに取り付けられた各回転アーム１７ｄが一体となって上方に回転し、各回転アーム１７ｄの先端部に取り付けられた回転ローラ１７ｅが、昇降プレート２１の下面に当接する。そして、各回転アーム１７ｄがさらに上昇することによって、各回転ローラ１７ｅが、昇降プレート２１の下面に転接して、昇降プレート２１を上方に持ち上げる。
【００３４】
これにより、昇降プレート２１は、ベース部１０に設けられた各ガイドピン１６に沿って、水平状態を保持して上昇し、昇降プレート２１に取り付けられた各昇降ピン２２が、昇降プレート２１と一体となって上昇する。そして、昇降プレート２１の上昇に伴って、各昇降ピン２２は、パネル載置部３０の各位置決め係合部３２のガイド孔３４を貫通して、各位置決め係合部３２の上面から突出した状態になり、液晶表示パネル本体７１の周縁部に取り付けられた状態でパネル載置部３０の各位置決め係合部３２に係合された保護ケース７２が、各昇降ピン２２によって持ち上げられる。これにより、保護ケース７２の係合部は、各位置決め係合部３２との係合状態が解除される。
【００３５】
この場合、各昇降ピン２２は、昇降プレート２１に取り付けられているために、昇降プレート２１の上昇に伴って一体的に同期して上昇する。従って、液晶表示パネル本体７１と一体となった保護ケース７２は、各昇降ピン２２によって、全体が一体的に持ち上げられることになり、保護ケース７２の係合部とパネル載置部３０の位置決め係合部３２との係合状態が、確実に解除される。
【００３６】
このようにして、パネル載置部３０の各位置決め係合部３２との係合状態が解除された液晶表示パネルは、４本の昇降ピン２２上に載置された状態になっているにすぎず、１人の作業員によってパネル載置部３０上から容易に持ち運ぶことができる。
【００３７】
なお、上記実施の形態では、昇降機構１７は、操作レバー１７ｃの操作によって回転軸１７ａを回転させて、回転アーム１７ｄを回転させることによって、昇降プレート２１を上昇させる構成であったが、このような構成に限らす、例えば、回転軸１７ａを、モーター、エアーシリンダ、油圧シリンダ等によって回転させるようにしてもよい。これにより、作業性がさらに向上する。
【００３８】
また、昇降機構として、各ガイドピン１６にコイルスプリング等のバネをそれぞれ嵌合させて、各バネを圧縮状態で保持するストッパーを設けるようにしてもよい。この場合、昇降プレートの下降によって各バネが圧縮されて弾性力が付与された状態になり、各バネの圧縮状態がストッパーによって保持されるようになっている。これにより、昇降プレート２１は下降した状態に保持され、各昇降ピン２２は、パネル載置部３０の位置決め係合部３２上面から突出しない状態になる。そして、ストッパーによる各コイルバネの圧縮状態を解除することによって、昇降プレート２１は、各コイルバネの弾性力によって上昇されて、各各昇降ピン２２は、パネル載置部３０の位置決め係合部３２上面から突出した状態になる。その他の構成は、前記各実施形態と同様に構成される。
【００３９】
また、コイルバネは、各ガイドピン１６に嵌合させる構成に限らず、昇降プレート２１と、ベース部１０の支持プレート１５との間に、各ガイドピン１６とは別に設けるようにしてもよい。この場合には、支持プレート１５に各コイルバネの下端部が嵌合されるピンを設けるとともに、昇降プレート２１の下面に、各コイルバネの上端部が嵌合する貫通穴または凹部を形成し、さらには、昇降プレート２１を、各コイルバネが圧縮するように下降した状態に保持するストッパーを設けようにすればよい。
【００４０】
さらには、昇降機構１７をエアーシリンダによって構成してもよい。この場合には、昇降プレート２１とベース部１０との間に、１または複数のエアーシリンダまたは油圧シリンダを垂直状態に設けて、エアーシリンダまたは油圧シリンダを駆動することによって、昇降プレートを昇降させることができる。また、エアーシリンダを水平状態に配置して、エアーシリンダの水平運動を垂直運動に変換する機構を設けるようにしてもよい。
【００４１】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００４２】
液晶表示パネルのような表示パネルの組立作業効率を著しく向上させることができる。
【図面の簡単な説明】
【００４３】
【図１】本発明の表示パネル用治具に使用される液晶表示パネルの周縁部に、長方形の枠状の保護ケース（ベゼル）を嵌め込んだ状態を示す斜視図である。
【図２】本発明の表示パネル用治具を、図１に示す液晶表示パネルとともに分解して示す斜視図である。
【図３】その表示パネル用治具に使用されるベース部の斜視図である。
【図４】その表示パネル用治具に使用される昇降部の斜視図である。
【図５】その表示パネル用治具に使用されるパネル載置部の斜視図である。
【符号の説明】
【００４４】
Ａ    表示パネル用治具
１０  ベース部
１１  ベースフレーム
１２  支持部材
１３  支持部材
１４  緩衝部材
１５  支持プレート
１６  ガイドピン
１７  昇降機構
１７ａ  回転軸
１７ｂ  軸受部材
１７ｃ  操作レバー
１７ｄ  回転アーム
１７ｅ  回転ローラ
２０  昇降部
２１  昇降プレート
２２  昇降ピン
３０  パネル載置部
３１  プレート部
３２  位置決め係合部
３３  パネル支持台
３４  ガイド孔
７１  液晶表示パネル本体
７２  保護ケース(ベゼル)
７２ｃ  ビス孔
【図１】
2006126744.tif 000003
【図２】
2006126744.tif 000004
【図３】
2006126744.tif 000005
【図４】
2006126744.tif 000006
【図５】
2006126744.tif 000007